(57)【特許請求の範囲】
【請求項１】
内底面中央に共通接点、及び対向する両内側壁に固定接点が各々植設された上面開口の箱型のケースと、略Ｍ字状で中間部が上記ケースの下内側壁中央に植設された上記共通接点の先端に常時弾接し、中間部両端から左右に延出した第一のアーム部先端に折返部が設けられると共に、折返部を介して第二のアーム部が形成され、この第二のアーム部先端の接点部が上記ケース内側壁または上記固定接点に各々弾接した弾性金属製の可動接点と、一端の支点部がケース内底面に回動可能に装着され、他端の押圧部下面が上記可動接点の折返部近傍に当接した一対のカムと、操作部が上記ケース開口部から突出し、軸部が上記ケースに回動可能に装着されると共に、底面が上記カムの押圧部上面に各々当接したレバーからなるレバースイッチ。
【請求項２】
可動接点を弾性金属薄板製とした請求項１記載のレバースイッチ。
【請求項３】
ケースの内底面中央部に、可動接点の第一のアーム部に当接する保持部を設けた請求項１記載のレバースイッチ。
【請求項４】
可動接点の中間部に延出する舌片部を設け、この舌片部先端をケースの内底面中央の共通接点に弾接させた請求項１記載のレバースイッチ。
【請求項５】
内底面中央に共通接点、及び対向する両内側壁に固定接点が各々植設された上面開口の箱型のケースと、略Ｍ字状で中間部から延出する舌片部先端が上記ケースの内底面中央に植設された上記共通接点に弾接し、中間部両端から左右に延出した第一のアーム部先端に折返部が設けられると共に、折返部を介して第二のアーム部が形成され、この第二のアーム部先端の接点部が上記ケース内側壁または上記固定接点に各々弾接した弾性金属製の可動接点と、操作部が上記ケース開口部から突出し、軸部が上記ケースに回動可能に装着されると共に、上記軸部下方に延出する駆動部を設け、この駆動部を上記可動接点の第一のアーム部内方に当接したレバーからなるレバースイッチ。
【発明の詳細な説明】
【０００１】
【発明の属する技術分野】
本発明は、各種電子機器において、記録媒体の有無やメカニズムの動作検出等に用いられるレバースイッチに関するものである。
【０００２】
【従来の技術】
各種電子機器に使用され、テープやディスク等の記録媒体の有無、或いは様々なメカニズムの動作検出等に用いられる検出用のレバースイッチとしては、弾性金属薄板製の可動接点と固定接点を組合わせた、所謂リーフスイッチが広く知られている。
【０００３】
このような従来のレバースイッチについて、図９〜図１１を用いて説明する。
【０００４】
図９は従来のレバースイッチの断面図であり、同図において、１は前面開放で上面に開口部１Ａを有する絶縁樹脂製の箱形のケース、２は中間の軸部２Ａがケース１に回動可能に装着されたレバーで、ケース１内に収納されたレバー２の下端には駆動部２Ｂ，２Ｃが設けられ、上端の操作部２Ｄはケース１の開口部１Ａから上方に突出している。
【０００５】
そして、３は弾性金属薄板製の可動接点、４は可動接点３の左右に配置された一対の弾性金属薄板製の固定接点で、各々ケース１の開口部１Ａと対向する底面に植設され、可動接点３の上端がレバー２の駆動部２Ｂ，２Ｃの間に配置されると共に、可動接点３の中間部と対向した固定接点４の上端には内方に湾曲した接点部４Ａが設けられている。
【０００６】
また、これら可動接点３や固定接点４を収納したケース１の前面をカバー（図示せず）が覆い、レバー２の軸部２Ａを左右方向に回動可能に保持してレバースイッチが構成されている。
【０００７】
以上の構成において、レバー２の操作部２Ｄを右方向に回動操作すると、図１０の断面図に示すように、軸部２Ａを支点として駆動部２Ｃ下端が左方向に回動するため、駆動部２Ｃによって可動接点３が上端を押されて左方向に撓み、中間部が左側の固定接点４の接点部４Ａに接触する。
【０００８】
そして、レバー２の操作部２Ｄをさらに所定のストロークまで回動すると、図１１の断面図に示すように、可動接点３の上端がさらに左方向に移動して中間部が接点部４Ａを押圧するため、これによって固定接点４も左方向に撓み、可動接点３と固定接点４が安定した接触圧力で接触した状態となる。
【０００９】
また、レバー２の操作部２Ｄへの操作力を解除すると、可動接点３や固定接点４の弾性復帰力によって、駆動部２Ｃが右方向に押圧されてレバー２が回動し、操作部２Ｄが図９の中立状態に復帰する。
【００１０】
そして、レバー２の操作部２Ｄを左方向に回動操作した場合には、駆動部２Ｂが可動接点３上端を右方向に押圧し、可動接点３を右方向に撓ませて右側の固定接点４と接触するように構成されているものであった。
【００１１】
【発明が解決しようとする課題】
しかしながら上記従来のレバースイッチにおいては、板状の可動接点３を左右方向に撓ませて左右の固定接点４と接触させているため、可動接点３の許容応力を充分なものにするためには、可動接点３に所定の長さが必要となって、スイッチ全体の小型化を図ることが困難になると共に、レバー２が所定のストロークだけ回動した後に固定接点４も撓み、可動接点３との安定した接触圧力が得られる構成となっているため、レバー２が操作途中の状態では接点の接触が不安定なものになり易いという課題があった。
【００１２】
本発明は、このような従来の課題を解決するものであり、小型化が図れ、安定した接点の接触が得られるレバースイッチを提供することを目的とする。
【００１３】
【課題を解決するための手段】
上記目的を達成するために本発明は、以下の構成を有するものである。
【００１４】
本発明の請求項１に記載の発明は、ケースの内底面中央に共通接点、対向する両内側壁に固定接点を各々植設し、ケースの下内側壁中央に植設された共通接点の先端に略Ｍ字状の弾性金属製の可動接点の中間部を常時弾接させると共に、中間部両端から左右に延出した第一のアーム部先端に設けられた折返部を介して形成された第二のアーム部先端の接点部を、ケース内側壁または固定接点に各々弾接させ、支点部がケース内底面に回動可能に装着され押圧部下面が可動接点の折返部に当接した一対のカムの、押圧部上面にレバーの底面を各々当接させてレバースイッチを構成したものであり、可動接点を中間部及び第一のアーム部、折返部、第二のアーム部からなる略Ｍ字状に形成し、この全体を撓めて中間部と両端の接点部を共通接点と固定接点に弾接させているため、可動接点の許容応力を大きなものとすることができ、スイッチ全体の小型化を図ることが可能となると共に、可動接点の接点部が、ケースの内側壁または固定接点上を弾接摺動して固定接点との接離を行う構成であるため、レバーが操作途中の状態でも接点の一定の接触圧力が確保でき、接触が安定したレバースイッチを得ることができるという作用を有する。
【００１５】
請求項２に記載の発明は、請求項１記載の発明において、可動接点を弾性金属薄板製としたものであり、可動接点が金属薄板で形成されているため、可動接点を金属線材等で形成する場合に比べ、金型によるプレス加工によって、形状寸法の安定したものを容易に製作することができるという作用を有する。
【００１６】
請求項３に記載の発明は、請求項１記載の発明において、ケースの内底面中央部に、可動接点の第一のアーム部に当接する保持部を設けたものであり、保持部によって可動接点を確実に保持できるため、可動接点の変形等を防止できると共に、ケースへの各部品の組込みも容易に行うことができるという作用を有する。
【００１７】
請求項４に記載の発明は、請求項１記載の発明において、可動接点の中間部に延出する舌片部を設け、この舌片部先端をケースの内底面中央の共通接点に弾接させたものであり、可動接点の動作に伴って舌片部先端が共通接点上を摺動するため、共通接点表面の埃や炭化物等の異物が除去され、接点の接触を安定したものとすることができるという作用を有する。
【００１８】
請求項５に記載の発明は、内底面中央に共通接点、及び対向する両内側壁に固定接点が各々植設された上面開口の箱型のケースと、略Ｍ字状で中間部から延出する舌片部先端が上記ケースの内底面中央に植設された上記共通接点に弾接し、中間部両端から左右に延出した第一のアーム部先端に折返部が設けられると共に、折返部を介して第二のアーム部が形成され、この第二のアーム部先端の接点部が上記ケース内側壁または上記固定接点に各々弾接した弾性金属製の可動接点と、操作部が上記ケース開口部から突出し、軸部が上記ケースに回動可能に装着されると共に、上記軸部下方に延出する駆動部を設け、この駆動部を上記可動接点の第一のアーム部内方に当接したレバーからなるものであり、可動接点を中間部及び第一のアーム部、折返部、第二のアーム部からなる略Ｍ字状に形成し、この全体を撓めて中間部と両端の接点部を共通接点と固定接点に弾接させているため、可動接点の許容応力を大きなものとすることができ、スイッチ全体の小型化を図ることが可能となると共に、可動接点の接点部が、ケースの内側壁または固定接点上を弾接摺動して固定接点との接離を行う構成であるため、レバーが操作途中の状態でも接点の一定の接触圧力が確保でき、接触が安定したレバースイッチを得ることができるという作用を有する。
さらに、可動接点の動作に伴って舌片部先端が共通接点上を摺動するため、共通接点表面の埃や炭化物等の異物が除去され、接点の接触を安定したものとすることができると共に、レバーの駆動部を可動接点の第一のアーム部内方に当接させる構成であるため、使用部品数を減らし、安価なレバースイッチを得ることができるという作用を有する。
【００１９】
【発明の実施の形態】
以下、本発明の実施の形態について、図１〜図８を用いて説明する。
【００２０】
（実施の形態１）
実施の形態１を用いて、本発明の特に請求項１〜３記載の発明について説明する。
【００２１】
図１は本発明の第１の実施の形態によるレバースイッチの断面図、図２は同分解斜視図であり、同図において、１１は前面開放で上面に開口部１１Ａを有する絶縁樹脂製の箱型のケースで、ケース１１の下内側壁中央には内底面に植設された導電金属製の共通接点１２の先端が、これに隣接し対向する左右の内側壁には同じく導電金属製の一対の固定接点１３，１４が、各々インサート成形等によって植設固定されている。
【００２２】
そして、ケース１１内底面の開口部１１Ａ中央には軸孔１１Ｂが、この左右には支持孔１１Ｃ，１１Ｄが各々設けられると共に、やや下方の中央部には突出した保持部１１Ｅが形成されている。
【００２３】
また、１５はリン青銅やベリリウム銅等の弾性金属薄板製の略Ｍ字状の可動接点で、中間部１５Ａ下面の円弧状の突部が共通接点１２に弾接すると共に、中間部１５Ａ両端から左右に延出し、ケース１１の保持部１１Ｅに当接して外方に広がった第一のアーム部１５Ｂ先端には折返部１５Ｃが設けられ、この折返部１５Ｃから延出した第二のアーム部１５Ｄ先端の外方に湾曲した接点部１５Ｅが、ケース１１の左右の内側壁に弾接している。
【００２４】
そして、１６，１７は左右一対のカムで、一端の円柱状の支点部１６Ａ，１７Ａがケース１１内底面の支持孔１１Ｃ，１１Ｄに各々回動可能に装着されると共に、他端の押圧部１６Ｂ，１７Ｂ下面が可動接点１５の左右の折返部１５Ｃ近傍に各々当接している。
【００２５】
また、１８は絶縁樹脂製のレバーで、上端の操作部１８Ａがケース１１の開口部１１Ａから上方に突出し、下端の円柱状の軸部１８Ｂがケース１１の軸孔１１Ｂに回動可能に装着されると共に、底面両端の二つの円弧状の突起部１８Ｃがカム１６，１７の押圧部１６Ｂ，１７Ｂ上面に各々当接している。
【００２６】
そして、これらが収納されたケース１１の前面を、カバー１９が覆ってレバースイッチが構成されている。
【００２７】
以上の構成において、図１の中立状態から、レバー１８の操作部１８Ａを右方向に回動操作すると、図３の断面図に示すように、軸部１８Ｂを支点としてレバー１８が回動し、右底面の突起部１８Ｃがカム１７の押圧部１７Ｂ上面を押圧するため、カム１７が支点部１７Ａを支点として下方向に回動する。
【００２８】
そして、可動接点１５がカム１７の押圧部１７Ｂ下面に右側の折返部１５Ｃを押圧されて、右側の第一のアーム部１５Ｂや第二のアーム部１５Ｄが撓み、右側の接点部１５Ｅがケース１１の右内側壁面を下方向に弾接摺動する。
【００２９】
この後、レバー１８の操作部１８Ａをさらに回動すると、図４の断面図に示すように、可動接点１５の接点部１５Ｅがさらに下方向に弾接摺動し、固定接点１４に接触することによって、可動接点１５を介した固定接点１４と共通接点１２との電気的接続が行われる。
【００３０】
そして、レバー１８の操作部１８Ａへの操作力を解除すると、第一のアーム部１５Ｂや第二のアーム部１５Ｄが撓められた可動接点１５の弾性復帰力によって、接点部１５Ｅが上方向に弾接摺動して固定接点１４から離れると共に、カム１７の押圧部１７Ｂが押圧されて押上げられ、これによってレバー１８が回動し、操作部１８Ａが図１の中立状態に復帰する。
【００３１】
また、レバー１８の操作部１８Ａを左方向に回動操作した場合には、左底面の突起部１８Ｃがカム１６の押圧部１６Ｂ上面を押圧し、可動接点１５の左側の接点部１５Ｅが下方向に弾接摺動し、固定接点１３に接触することによって、可動接点１５を介した固定接点１３と共通接点１２との電気的接続が行われる。
【００３２】
このように本実施の形態によれば、可動接点１５を中間部１５Ａ及び第一のアーム部１５Ｂ、折返部１５Ｃ、第二のアーム部１５Ｄからなる略Ｍ字状に形成し、この全体を撓めて中間部１５Ａと両端の接点部１５Ｅを共通接点１２と固定接点１３，１４に弾接させているため、可動接点１５の許容応力を大きなものとすることができ、スイッチ全体の小型化を図ることが可能になると共に、可動接点１５の接点部１５Ｅが、ケース１１の内側壁上を弾接摺動して固定接点１３，１４との接離を行う構成であるため、レバー１８が操作途中の状態でも接点の一定の接触圧力が確保でき、接触が安定したレバースイッチを得ることができるものである。
【００３３】
そして、可動接点１５は、銅合金等の円形の金属線材等をフォーミング加工して形成しても本発明の実施は可能であるが、弾性金属薄板製とすることによって、金属線材等で形成する場合に比べ、金型によるプレス加工によって、形状寸法の安定したものを容易に製作することができるため、レバースイッチを安価なものとすることができる。
【００３４】
さらに、ケース１１の中央部に、可動接点１５の第一のアーム部１５Ｂに当接する保持部１１Ｅを設けることによって、この保持部１１Ｅによって可動接点１５を確実に保持できるため、可動接点１５の変形等を防止できると共に、スイッチ組込み時に保持部１１Ｅによって、可動接点１５を予め所定の位置まで撓めた状態でカム１６，１７を組込むことができるため、ケース１１への各部品の組込みも容易に行うことができる。
【００３５】
なお、以上の説明ではスイッチの構成を、レバー１８の回動操作によって、可動接点１５両端の接点部１５Ｅを固定接点１３，１４に接触させる、所謂ノーマルオフタイプのものとして説明したが、レバー１８が中立状態で接点部１５Ｅが固定接点１３，１４に接触し、レバー１８を回動操作すると接点部１５Ｅが固定接点１３，１４から離れる、所謂ノーマルオンタイプのレバースイッチとしても本発明の実施は可能である。
【００３６】
（実施の形態２）
実施の形態２を用いて、本発明の特に請求項４及び５記載の発明について説明する。
【００３７】
なお、実施の形態１の構成と同一構成の部分には同一符号を付して、詳細な説明を省略する。
【００３８】
図５は本発明の第２の実施の形態によるレバースイッチの断面図、図６は同分解斜視図であり、同図において、２１は前面開放で上面に開口部２１Ａを有する絶縁樹脂製の箱型のケースで、ケース２１の内底面中央には導電金属製の共通接点２２が、対向する左右の内側壁には同じく導電金属製の一対の固定接点１３，１４が、各々インサート成形等によって植設固定され、開口部２１Ａ中央には軸孔２１Ｂが形成されている。
【００３９】
そして、２５は弾性金属薄板製の略Ｍ字状の可動接点で、中間部２５Ａ両端から第一のアーム部２５Ｂが左右に延出していることや、折返部２５Ｃから延出した第二のアーム部２５Ｄ先端の接点部２５Ｅが、ケース２１の左右の内側壁に弾接していることは実施の形態１の場合と同様であるが、中間部２５Ａ中央には上方に延出する舌片部２５Ｆが設けられ、この舌片部２５Ｆ先端が共通接点２２に弾接している。
【００４０】
また、レバー２８上端の操作部２８Ａがケース２１の開口部２１Ａから上方に突出していることや、中間の円柱状の軸部２８Ｂがケース２１の軸孔２１Ｂに回動可能に装着されていることも実施の形態１の場合と同様であるが、カム１６，１７に代えて、レバー２８下端には軸部２８Ｂ下方に延出する円柱状の駆動部２８Ｃが設けられ、この駆動部２８Ｃの左右が可動接点２５の第一のアーム部２５Ｂ内方に各々当接している。
【００４１】
そして、これらが収納されたケース２１の前面を、カバー１９が覆ってレバースイッチが構成されている。
【００４２】
以上の構成において、図５の中立状態から、レバー２８の操作部２８Ａを右方向に回動操作すると、図７の断面図に示すように、軸部２８Ｂを支点としてレバー２８が回動し、軸部２８Ｂ下方の駆動部２８Ｃの左側が、可動接点２５左側の第一のアーム部２５Ｂを押圧して、第一のアーム部２５Ｂや第二のアーム部２５Ｄが撓み、左側の接点部２５Ｅがケース２１の左内側壁面を下方向に弾接摺動する。
【００４３】
この後、レバー２８の操作部２８Ａをさらに回動すると、図８の断面図に示すように、可動接点２５の接点部２５Ｅがさらに下方向に弾接摺動し、固定接点１３に接触することによって、可動接点２５を介した固定接点１３と共通接点２２との電気的接続が行われる。
【００４４】
なお、この時、可動接点２５の中間部２５Ａに上方に延出して設けられた舌片部２５Ｆ先端は、上記のような可動接点２５の動作に伴って、共通接点２２上を左方向へ弾接摺動する。
【００４５】
そして、レバー２８の操作部２８Ａへの操作力を解除すると、第一のアーム部２５Ｂや第二のアーム部２５Ｄが撓められた可動接点２５の弾性復帰力によって、接点部２５Ｅが上方向に弾接摺動して固定接点１３から離れると共に、レバー２８の駆動部２８Ｃ左側が、可動接点２５左側の第一のアーム部２５Ｂに押圧されて右方向へ押戻され、レバー２８が回動して、操作部２８Ａが図５の中立状態に復帰する。
【００４６】
また、レバー２８の操作部２８Ａを左方向に回動操作した場合には、駆動部２８Ｃの右側が可動接点２５の右側の第一のアーム部２５Ｂを押圧して、可動接点２５の右側の接点部２５Ｅが下方向に弾接摺動し、固定接点１４に接触することによって、可動接点２５を介した固定接点１４と共通接点２２との電気的接続が行われる。
【００４７】
このように本実施の形態によれば、カムに代えて、レバー２８に軸部２８Ｂ下方に延出する駆動部２８Ｃを設け、この駆動部２８Ｃの左右を可動接点２５の第一のアーム部２５Ｂ内方に当接させてレバースイッチが構成されているため、可動接点２５を動作させるためのカムが不要となり、使用部品数を減らし、安価なレバースイッチを得ることができるものである。
【００４８】
そして、可動接点２５の中間部２５Ａ中央に上方に延出する舌片部２５Ｆを設け、この舌片部２５Ｆ先端を共通接点２２に弾接させることによって、可動接点２５の動作に伴って舌片部２５Ｆ先端が共通接点２２上を摺動するため、共通接点２２表面の埃や炭化物等の異物が除去され、接点の接触を安定したものとすることができる。
【００４９】
【発明の効果】
以上のように本発明によれば、小型化が図れ、安定した接点の接触が得られるレバースイッチを実現できるという有利な効果が得られる。
【図面の簡単な説明】
【図１】本発明の第１の実施の形態によるレバースイッチの断面図
【図２】同分解斜視図
【図３】同操作時の断面図
【図４】同フル操作時の断面図
【図５】本発明の第２の実施の形態によるレバースイッチの断面図
【図６】同分解斜視図
【図７】同操作時の断面図
【図８】同フル操作時の断面図
【図９】従来のレバースイッチの断面図
【図１０】同操作時の断面図
【図１１】同フル操作時の断面図
【符号の説明】
１１，２１  ケース
１１Ａ，２１Ａ  開口部
１１Ｂ，２１Ｂ  軸孔
１１Ｃ，１１Ｄ  支持孔
１１Ｅ  保持部
１２，２２  共通接点
１３，１４  固定接点
１５，２５  可動接点
１５Ａ，２５Ａ  中間部
１５Ｂ，２５Ｂ  第一のアーム部
１５Ｃ，２５Ｃ  折返部
１５Ｄ，２５Ｄ  第二のアーム部
１５Ｅ，２５Ｅ  接点部
１６，１７  カム
１６Ａ，１７Ａ  支点部
１６Ｂ，１７Ｂ  押圧部
１８，２８  レバー
１８Ａ，２８Ａ  操作部
１８Ｂ，２８Ｂ  軸部
１８Ｃ  突起部
１９  カバー
２５Ｆ  舌片部
２８Ｃ  駆動部
【図１】
0003991577.tif 000002
【図２】
0003991577.tif 000003
【図３】
0003991577.tif 000004
【図４】
0003991577.tif 000005
【図５】
0003991577.tif 000006
【図６】
0003991577.tif 000007
【図７】
0003991577.tif 000008
【図８】
0003991577.tif 000009
【図９】
0003991577.tif 000010
【図１０】
0003991577.tif 000011
【図１１】
0003991577.tif 000012